(57)【要約】【課題】太陽の日差しに晒される設置対象を覆うことにより、設置対象の温度上昇を抑制し、省エネルギ化を図ることができることに加え、強風によって使用基材にかかる応力を緩和してそれらの損傷を最小化し、かつ、耐用性、耐久性、取扱性、意匠性、安全性等に優れた遮熱シートの止着構造を提供すること。【解決手段】遮熱シート１を枠体３に弾性体２を介して係止する。【選択図】図１
2008291475.tif 000002
【特許請求の範囲】
【請求項１】
遮熱シートを枠体に弾性体を介して係止したことを特徴とする遮熱シートの止着構造。
【請求項２】
弾性体が、鋼製バネからなることを特徴とする請求項１記載の遮熱シートの止着構造。
【請求項３】
弾性体が、ゴム及び／又は合成樹脂からなることを特徴とする請求項１記載の遮熱シートの止着構造。
【請求項４】
弾性体が、鋼製バネとゴムとゴム及び／又は合成樹脂とからなることを特徴とする請求項１記載の遮熱シートの止着構造。
【請求項５】
枠体に、脚部を設けたことを特徴とする請求項１、２、３又は４記載の遮熱シートの止着構造。
【請求項６】
弾性体を、枠体及び／又は脚部の構成材に収納したことを特徴とする請求項１、２、３、４又は５記載の遮熱シートの止着構造。
【発明の詳細な説明】
【技術分野】
【０００１】
本発明は、太陽の日差しに晒される建造物、空調機の室外機、屋外休憩場等（本明細書において、「設置対象」という。）を覆うことにより、設置対象の温度上昇を抑制し、省エネルギ化を図ることができる遮熱シートの止着構造に関するものである。
【背景技術】
【０００２】
従来、太陽の日差しに晒される建造物、空調機の室外機、屋外休憩場等を覆う材料として「よしず」が汎用されている。
しかしながら、「よしず」は、高価なだけでなく、長期間の使用により腐食する等の問題があり、また、設置面積が広い場合には、台風の際や夏期以外の時期に撤去するのに手数を要するという問題があった。
【０００３】
上記問題点に鑑み、本件出願人は、先にアルミニウム粉末を練り込み均一に分散させた合成樹脂材料から形成したアルミニウム粉末含有リボン糸と、炭素粉末を練り込み均一に分散させた合成樹脂材料から形成した炭素粉末含有リボン糸とを重ね合わせた複合リボン糸を、アルミニウム粉末含有リボン糸の面と炭素粉末含有リボン糸の面がそれぞれ同じ方向を向くように並列し、この複合リボン糸と直交する糸により編成する遮熱シート及びその設置構造を提案した（特許文献１参照）。
しかしながら、上記遮熱シートの設置構造は、強風により使用基材に損傷が発生し、問題を残すものとなっている。
【特許文献１】特開２００６−１１８０５７号公報
【発明の開示】
【発明が解決しようとする課題】
【０００４】
本発明は、上記従来の問題点に鑑み、太陽の日差しに晒される設置対象を覆うことにより、設置対象の温度上昇を抑制し、省エネルギ化を図ることができることに加え、強風によって使用基材にかかる応力を緩和してそれらの損傷を最小化し、かつ、耐用性、耐久性、取扱性、意匠性、安全性等に優れた遮熱シートの止着構造を提供することを目的とする。
【課題を解決するための手段】
【０００５】
上記目的を達成するため、本発明の遮熱シートの止着構造は、遮熱シートを枠体に弾性体を介して係止したことを特徴とする。
【０００６】
この場合において、弾性体を、鋼製バネ、ゴム及び／又は合成樹脂、鋼製バネとゴム及び／又は合成樹脂等から構成することができる。
【０００７】
また、枠体に脚部を設けることができ、さらに、弾性体を、枠体及び／又は脚部の構成材に収納することができる。
【発明の効果】
【０００８】
本発明の遮熱シートの止着構造は、遮熱シートを枠体に弾性体を介して係止することで、強風時に遮熱シート等の使用基材にかかる負荷は、弾性体の緩衝機能より最小化され、遮熱シート等の使用基材の損傷は激減し、長期に亘り使用することができる。
【０００９】
また、弾性体を、鋼製バネ、ゴム及び／又は合成樹脂、鋼製バネとゴム及び／又は合成樹脂等から構成することで、弾性体に必要十分な弾力、柔軟、強度等の性能を付与することができ、緩衝機能を有する遮熱シートの止着構造の設計が可能になる。
【００１０】
また、枠体に脚部を設けることで、遮熱対象物や設置場所の選択が広がり、さらに、弾性体を、枠体及び／又は脚部の構成材に収納することで、見栄えがよくなり、遮熱面積が広がり遮熱効率が向上する。
【発明を実施するための最良の形態】
【００１１】
以下、本発明の遮熱シートの止着構造の形態を、図面に基づいて説明する。
【実施例１】
【００１２】
図１に、本発明の遮熱シートの止着構造の一実施例を示す。
この遮熱シートの止着構造は、遮熱シート１を、脚部４を設けた枠体３に、その両端にそれぞれ遮熱シート１及び枠体３に係止可能な止着部２ａ、２ｂを具備した鋼製バネからなる弾性体２を介して係止したものである。
【００１３】
この場合、弾性体２には鋼製バネのほか、弾性を有するゴムや合成樹脂を単独で、さらには、鋼製バネとゴムや合成樹脂の併用体を使用することができる。
【００１４】
枠体３及び脚部４には、木や竹や合成樹脂の成形体を使用することができるが、特に、鋼管、さらには、表面をメッキ、塗装又は被覆した鋼管を最適に使用することができる。
【００１５】
遮熱シート１には、アルミニウム粉末を練り込み均一に分散させた合成樹脂材料から形成したアルミニウム粉末含有リボン糸と、炭素粉末を練り込み均一に分散させた合成樹脂材料から形成した炭素粉末含有リボン糸とを重ね合わせた複合リボン糸を、アルミニウム粉末含有リボン糸の面と炭素粉末含有リボン糸の面がそれぞれ同じ方向を向くように並列し、この複合リボン糸と直交する糸により編成したものが、優れた遮熱性、耐候性、強度性、耐食性を有することから好適に使用できる。
【００１６】
また、アルミニウム粉末含有リボン糸及び炭素粉末含有リボン糸を構成する合成樹脂材料には、特に限定されるものではないが、例えば、ポリプロピレン樹脂、ポリエチレン樹脂、ポリ塩化ビニル樹脂、ポリアミド樹脂等の合成樹脂、特に好ましくは、ポリプロピレン樹脂を用いることができ、また、アルミニウム粉末含有リボン糸１１ａには、必要に応じて、着色剤を添加することにより、銀色（灰色）以外の色に着色することができることになる。
【実施例２】
【００１７】
図２に、本発明の遮熱シートの止着構造の変形実施例を示す。
この遮熱シートの止着構造は、弾性体２を、枠体３や脚部４の構成材としての鋼管等の内部に収納したもので、図２（ａ）は枠体３の構成材としての鋼管の内部に、図２（ｂ）は枠体３の構成材としての鋼管に配設したカバー３１の内部に、図２（ｃ）は弾性体２の外周に設けたカバー２１を介して枠体３の構成材としての鋼管の内部に、それぞれ収納したものである。
【００１８】
このように、本発明の遮熱シートの止着構造は、遮熱シート１を枠体３に弾性体２を介して係止することで、強風時に遮熱シート１等の使用機材にかかる負荷は、弾性体２の緩衝機能より最小化され、遮熱シート１等の使用基材にかかる負荷は、弾性体２の緩衝機能より最小化され、遮熱シート１等の使用基材の損傷は激減し、長期に亘り使用することができる。
また、弾性体２を、鋼製バネ、ゴム及び／又は合成樹脂、鋼製バネとゴム及び／又は合成樹脂等から構成することで、弾性体２に必要十分な弾力、柔軟、強度等の性能を付与することができ、緩衝機能を有する遮熱シートの止着構造の設計が可能になる。
また、枠体３に脚部４を設けることで、遮熱対象物や設置場所の選択が広がり、さらに、弾性体２を、枠体３及び／又は脚部４の構成材に収納することで、見栄えがよくなり、遮熱面積が広がり遮熱効率が向上する。
【００１９】
さらに、本発明の遮熱シートの止着構造は、優れた耐久性、耐応力性により、その使用期間中は、特別な理由がない限り、遮熱シート１を畳むことや枠体３との止着の解除をしなくてもよくなり、メンテナンスに手間のかからないものになり、設置対象の景観に合わせ、少なくとも枠体３や脚部４を着色することで、見栄えよく近隣の風景に受け入れられ、使用基材に、耐久性、安全性に優れた材料を選択することで、長期間に亘り使用することが可能になる。
【００２０】
図３に、本発明の遮熱シートの止着構造の使用例を示す。
この遮熱シートの止着構造は、アルミニウム粉末含有リボン糸と炭素粉末含有リボン糸とを重ね合わせた複合リボン糸を、アルミニウム粉末含有リボン糸の面と炭素粉末含有リボン糸の面がそれぞれ同じ方向を向くように並列し、この複合リボン糸と直交する糸により編成して構成した遮熱シート１を、アルミニウム粉末含有リボン糸の面を表側（太陽の日差しに晒される側）にして張設するようにしたものである。
この場合において、遮熱シート１による遮熱効果を有効に発揮させることができるように、遮熱シート１は、設置対象Ｂ（本実施例においては、建築物の屋上）の表面からの距離Ｈが５０ｃｍ以内になる位置に張設することが望ましい。
【００２１】
図４に、本発明の遮熱シートの止着構造の他の使用例を示す。
この遮熱シートの止着構造は、上記使用例と同様、アルミニウム粉末含有リボン糸と炭素粉末含有リボン糸とを重ね合わせた複合リボン糸を、アルミニウム粉末含有リボン糸の面と炭素粉末含有リボン糸の面がそれぞれ同じ方向を向くように並列し、この複合リボン糸と直交する糸により編成して構成した遮熱シート１を、アルミニウム粉末含有リボン糸の面を表側（太陽の日差しに晒される側）にして、設置対象Ｃ（本実施例においては、空調機の室外機）の前面に張設するようにしたものである。
【００２２】
以上、本発明の遮熱シートの止着構造について、その実施例と使用例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の遮熱シートの止着構造は、太陽の日差しに晒される設置対象を覆うことにより、設置対象の温度上昇を抑制し、省エネルギ化を図ることができるとともに、耐用性、耐久性、取扱性、意匠性、安全性等に優れていることから、建造物や空調機の室外機を覆う材料の用途に好適に用いることができるほか、例えば、屋外休憩場等の遮熱の用途に広く用いることができる。
【図面の簡単な説明】
【００２４】
【図１】本発明の遮熱シートの止着構造の一実施例を示し、（ａ）は平面図、（ｂ）は側面図、（ｃ）は（ａ）のＸ−Ｘ断面の拡大図である。
【図２】本発明の遮熱シートの止着構造の変形実施例を示す説明図である。
【図３】本発明の遮熱シートの止着構造の使用例を示す斜視図である。
【図４】本発明の遮熱シートの止着構造の他の使用例を示す斜視図である。
【符号の説明】
【００２５】
１    遮熱シート
２    弾性体
２ａ  止着部
２ｂ  止着部
２１  カバー
３    枠体
３１  カバー
４    脚部
Ｂ    設置対象
Ｃ    設置対象
【図１】
2008291475.tif 000003
【図２】
2008291475.tif 000004
【図３】
2008291475.tif 000005
【図４】
2008291475.tif 000006